(57)【特許請求の範囲】
【請求項１】
バッテリにおける端子取付け面に設けられた電極に電気的に接続されるとともに、少なくとも該電極との接続部分が保護カバーによって覆われて、前記バッテリからの電力を、該電力によって動作する負荷部品へと受け渡すためのバッテリ端子台であって、
樹脂製のハウジングと、
金属で板状に形成されて前記電極に電気的に接続される部材であり、前記電極に電気的に接続されたときに前記端子取付け面を含む平面と略平行となるように前記ハウジングから露出して延出し、前記保護カバーによって覆われるバッテリ接続部と、
金属で形成されて前記ハウジング内で前記バッテリ接続部に接続され、前記負荷部品が電気的に接続される負荷接続部と、
前記バッテリ接続部が前記電極に電気的に接続されて前記保護カバーによって覆われたときに該保護カバーから露出するように前記バッテリ接続部から帯板状に延出し、かつ、前記バッテリ接続部に対して起立した姿勢となるように曲げ起こされて形成された露出端子と、を備えたことを特徴とするバッテリ端子台。
【請求項２】
前記露出端子が、前記起立した姿勢からの曲げ戻しにより、前記端子取付け面からの高さが前記保護カバーと前記ハウジングとの少なくとも一方の高さよりも低くなる寝た姿勢へと弾性変形が可能に形成された板バネ端子であり、
前記ハウジングに設けられ、前記寝た姿勢の前記板バネ端子に解除可能に係止するロック部を備え、
前記ロック部による係止が解除されると、前記板バネ端子が、その復元力によって前記起立した姿勢に復位することを特徴とする請求項１に記載のバッテリ端子台。
【請求項３】
前記バッテリ接続部と前記負荷接続部とが、所定の許容電流を超える電流が流れると溶断する溶断部を介して接続されていることを特徴とする請求項１又は２に記載のバッテリ端子台。
【請求項４】
前記バッテリ接続部、前記負荷接続部、前記露出端子、及び前記溶断部が、１枚の金属板から一体的に切り抜かれて形成されたものであることを特徴とする請求項３に記載のバッテリ端子台。
【発明の詳細な説明】
【技術分野】
【０００１】
本発明は、バッテリに取り付けられ、そのバッテリからの電力供給を中継するバッテリ端子台に関するものである。
【背景技術】
【０００２】
従来、車両におけるバッテリから車両内の負荷部品への電力供給は、バッテリからの電力供給を中継するバッテリ端子台を介して行われることが多い（例えば、特許文献１参照。）。
【０００３】
図８には、従来のバッテリ端子台の一例としてのヒューズユニットが示されている。バッテリ６に取り付けられたヒューズユニット５は保護カバー８で覆われる。図８（Ａ）には、ヒューズユニット５が保護カバー８で覆われた状態が示されており、図８（Ｂ）には、保護カバー８が外された状態が示されている。
【０００４】
ヒューズユニット５は、バッテリ６における端子取付け面６１から突出した棒状電極６２に電気的に接続される。また、このヒューズユニット５と棒状電極６２との電気的な接続は、棒状電極６２に直に接続されるバッテリターミナル７を介して行われる。バッテリターミナル７には、ヒューズユニット５が電気的に接続されるとともに固定される端子ボルト７１が設けられている。
【０００５】
このヒューズユニット５は、樹脂製のハウジング５１と、バッテリターミナル７の端子ボルト７１に接続されるバッテリ接続部５２と、負荷部品が接続される負荷接続部５３と、を備えている。ヒューズユニット５は、バッテリ接続部５２と負荷接続部５２とが、ハウジング５１の内部で、所定の許容電流を超える電流が流れると溶断する不図示の溶断部を介して接続されることでヒューズ機能が付与されている。
【０００６】
そして、ヒューズユニット５は、バッテリターミナル７を介して棒状電極６２に接続された後、バッテリ接続部５２と負荷接続部５２を含む全体が、棒状電極６２やバッテリターミナル７と一緒に保護カバー８によって覆われる。
【先行技術文献】
【特許文献】
【０００７】
【特許文献１】特開２０１２−２０９１８８号公報
【発明の概要】
【発明が解決しようとする課題】
【０００８】
ここで、バッテリが、いわゆる上がった状態になって、例えばエンジンのセルモータ等といった負荷部品に必要な電力の供給ができなくなっている際に、別バッテリの電力を負荷部品へと供給するジャンプスタートが行われることがある。ジャンプスタートの際には、端部にワニ口端子が取り付けられたスタータケーブルが用いられる。このスタータケーブルのワニ口端子を、棒状電極６２やバッテリターミナル７の端子ボルト７１等に取付けることで、別バッテリからの電力供給が行われる。
【０００９】
このとき、図８の例では、ヒューズユニット５が棒状電極６２やバッテリターミナル７と一緒に保護カバー８によって覆われるので、ジャンプスタートの際には、保護カバー８を取り外す必要がある。このように、図８のヒューズユニット５では、ジャンプスタートの作業が煩雑なものとなっている。
【００１０】
本発明は、上記のような問題点に着目し、ジャンプスタートを簡単に行うことができるバッテリ端子台を提供することを目的とする。
【課題を解決するための手段】
【００１１】
上記課題を解決するために、本発明のバッテリ端子台は、バッテリにおける端子取付け面に設けられた電極に電気的に接続されるとともに、少なくとも該電極との接続部分が保護カバーによって覆われて、前記バッテリからの電力を、該電力によって動作する負荷部品へと受け渡すためのバッテリ端子台であって、樹脂製のハウジングと、金属で板状に形成されて前記電極に電気的に接続される部材であり、前記電極に電気的に接続されたときに前記端子取付け面を含む平面と略平行となるように前記ハウジングから露出して延出し、前記保護カバーによって覆われるバッテリ接続部と、金属で形成されて前記ハウジング内で前記バッテリ接続部に接続され、前記負荷部品が電気的に接続される負荷接続部と、前記バッテリ接続部が前記電極に電気的に接続されて前記保護カバーによって覆われたときに該保護カバーから露出するように前記バッテリ接続部から帯板状に延出し、かつ、前記バッテリ接続部に対して起立した姿勢となるように曲げ起こされて形成された露出端子と、を備えたことを特徴としている。
【００１２】
本発明のバッテリ端子台によれば、保護カバーから露出するように露出端子が形成されている。これにより、ジャンプスタートの際に、保護カバーの外側で露出端子をスタータケーブルのワニ口端子の取付け箇所として利用するといった運用が可能となる。つまり、本発明のバッテリ端子台によれば、ジャンプスタートの際に保護カバーを取り外す必要がなく、ジャンプスタートを簡単に行うことができる。
【００１３】
また、本発明のバッテリ端子台において、前記露出端子が、前記起立した姿勢からの曲げ戻しにより、前記端子取付け面からの高さが前記保護カバーと前記ハウジングとの少なくとも一方の高さよりも低くなる寝た姿勢へと弾性変形が可能に形成された板バネ端子であり、前記ハウジングに設けられ、前記寝た姿勢の前記板バネ端子に解除可能に係止するロック部を備え、前記ロック部による係止が解除されると、前記板バネ端子が、その復元力によって前記起立した姿勢に復位することは好適である。
【００１４】
この好適なバッテリ端子台によれば、ジャンプスタートの際に、保護カバーの外側でロック部の係止を解除して板バネ端子を起立させて、その板バネ端子を、スタータケーブルのワニ口端子の取付け箇所として利用するといった運用が可能となる。また、ジャンプスタート以外のときには、板バネ端子を上記のように低い寝た姿勢に弾性変形させてロック部に係止させておくことで、この板バネ端子への不用意な接触等を抑えることができる。
【００１５】
また、本発明のバッテリ端子台において、前記バッテリ接続部と前記負荷接続部とが、所定の許容電流を超える電流が流れると溶断する溶断部を介して接続されていることは好適である。
【００１６】
この好適なバッテリ端子台は、バッテリからの電力が溶断部を介して負荷部品に供給されるヒューズユニットとなっている。そして、この好適なバッテリ端子台によれば、上記のようにスタータケーブルのワニ口端子の取付け箇所として利用可能な露出端子が、バッテリ接続部から延出しており、つまりは、バッテリからの電流経路において溶断部よりも上流側に位置している。このため、ジャンプスタートの際にも、電力が溶断部を介して負荷部品に供給されることとなり、ヒューズユニットとしての機能を維持しつつジャンプスタートを行うことができる。
【００１７】
また、この好適なバッテリ端子台において、前記バッテリ接続部、前記負荷接続部、前記露出端子、及び前記溶断部が、１枚の金属板から一体的に切り抜かれて形成されたものであることは更に好適である。
【００１８】
この更に好適なバッテリ端子台によれば、バッテリ接続部、負荷接続部、露出端子、及び溶断部の相互間の電気抵抗を抑えつつ、材料コスト等を抑えてこれらの部材を形成することができる。
【発明の効果】
【００１９】
本発明のバッテリ端子台によれば、ジャンプスタートを簡単に行うことができる。
【図面の簡単な説明】
【００２０】
【図１】本発明のバッテリ端子台の一実施形態としてのヒューズユニットの斜視図である。
【図２】図１に示されているヒューズユニットを、その樹脂製のハウジングを除去して示す図である。
【図３】保護カバーによって覆われたヒューズユニットを示す図である。
【図４】図３中のＶ１−Ｖ１断面を示す断面図である。
【図５】図４中のＶ２矢視を示す図である。
【図６】板バネ端子が、起立した姿勢に復位した状態のヒューズユニットを示す図である。
【図７】図６中のＶ２−Ｖ２断面を示す断面図である。
【図８】従来のバッテリ端子台の一例としてのヒューズユニットを示す図である。
【発明を実施するための形態】
【００２１】
本発明のバッテリ端子台の一実施形態としてのヒューズユニットについて図１〜図７を参照して説明する。図１は、本発明のバッテリ端子台の一実施形態としてのヒューズユニットの斜視図であり、図２は、図１に示されているヒューズユニットを、その樹脂製のハウジングを除去して示す図である。
【００２２】
ヒューズユニット１は、車両に搭載されるバッテリ２における端子取付け面２１から突出して設けられた棒状電極２２に電気的に接続される。また、このヒューズユニット１と棒状電極２２との電気的な接続は、棒状電極２２に直に接続される金属製のバッテリターミナル３を介して行われる。
【００２３】
バッテリターミナル３は、概ね直方体形状に形成されている。そして、バッテリターミナル３には、棒状電極２２が挿通される接続孔３１が厚み方向に貫通して設けられ、この接続孔３１の内側から、バッテリターミナル３の端縁にかけてスリット３２が形成されている。また、バッテリターミナル３には、このスリット３２と直交する方向に、一方の側面から他方の側面へと締結ネジ３３が通されている。締結ネジ３３のネジ部の先端にはナット３４が取り付けられている。棒状電極２２が接続孔３１に挿通されて締結ネジ３３が捩じ込まれることでスリット３２の間隔が狭められ、その結果、接続孔３１の内縁によって棒状電極２２が締め付けられる。これにより、バッテリターミナル３が、棒状電極２２に、電気的に接続されるとともに固定される。
【００２４】
また、バッテリターミナル３は、棒状電極２２に取り付けられた状態で、棒状電極２２から端子取付け面２１の外縁２１ａへと向かう方向に延出した姿勢となる。そして、バッテリターミナル３におけるこの外縁２１ａ側の端部に、ヒューズユニット１が電気的に接続されるとともに固定される端子ボルト３５が立設されている。
【００２５】
ヒューズユニット１は、樹脂製のハウジング１１と、バッテリターミナル３の端子ボルト３５に接続される１つのバッテリ接続部１２と、４つの負荷接続部１３１，・・・１３４と、を備えている。負荷接続部１３１，・・・１３４は、バッテリ２からの電力によって動作する不図示の負荷部品が電気的に接続される。そして、バッテリ接続部１２と、各負荷接続部１３１，・・・１３４とが、ハウジング１１の内部で、所定の許容電流を超える電流が流れると溶断する２つの溶断部１４１，１４２を介して接続されている。この溶断部１４１，１４２によって、ヒューズユニット１はヒューズ機能が付与されている。ハウジング１１には、２つの溶断部１４１，１４２を露出させる窓部１１１が設けられており、この窓部１１１には、樹脂製の透明カバー１１２が嵌め込まれている。溶断部１４１，１４２が溶断したか否かは、透明カバー１１２越しに視認される。また、この透明カバー１１２により溶断部１４１，１４２が溶断したときの金属の飛散が防がれる。
【００２６】
また、バッテリ接続部１２、４つの負荷接続部１３１，・・・１３４、２つの溶断部１４１，１４２は、図２に示されているように、後述する板バネ端子１５（露出端子）とともに、１つのバスバー１６となっている。このバスバー１６は、１枚の金属板から一体的に切り抜かれて折り曲げられて形成されたものである。
【００２７】
バッテリ接続部１２は、バスバー１６の一部で、金属で板状に形成されて、バッテリターミナル３を介してバッテリ２の棒状電極２２に電気的に接続される。このバッテリ接続部１２は、棒状電極２２に電気的に接続されたときに端子取付け面２１を含む平面と略平行となるようにハウジング１１から露出して延出している。
【００２８】
バッテリ接続部１２には、バッテリターミナル３の端子ボルト３５が貫通する貫通孔１２１が形成されている。この貫通孔１２１を貫通した端子ボルト３５にナット３６が締結されることで、バッテリ接続部１２は、バッテリターミナル３に電気的に接続されるとともに固定される。このようにして、バッテリ接続部１２は、このバッテリターミナル３を介してバッテリ２の棒状電極２２に電気的に接続される。
【００２９】
４つの負荷接続部１３１，・・・１３４も、各々がバスバー１６の一部で、金属で板状に形成されている。４つの負荷接続部１３１，・・・１３４のうち１つの負荷接続部１３１は、バッテリ接続部１２の表面と同一面をなす表面が、ハウジング１１から露出しており、バッテリ接続部１２には１つの溶断部１４１を介して接続されている。この負荷接続部１３１は、ハウジング１１から露出した部分に貫通孔１３１ａが設けられている。この貫通孔１３１ａには、その頭部がハウジング１１内に埋め込まれた端子ボルト１３１ｂが通されており、この負荷接続部１３１に、その端子ボルト１３１ｂのネジ部が立設された状態になっている。この端子ボルト１３１ｂに、負荷部品へと至るケーブルの端部に設けられたランプ端子等が、ナット締めにより固定される。
【００３０】
４つの負荷接続部１３１，・・・１３４のうち他の３つの負荷接続部１３２，・・・１３４は、負荷部品へと至るケーブルの端部に設けられたコネクタの雌端子に接続される雄端子となっている。ハウジング１１は、バッテリ接続部１２、上記の１つの負荷接続部１３１、及び２つの溶断部１４１，１４２の近傍をなす部分が、棒状電極２２に電気的に接続されたときに端子取付け面２１を含む平面と略平行となる。また、ハウジング１１における、バッテリ接続部１２側とは反対側の端部は、端子取付け面２１を含む平面と略直交して、即ち、バッテリ２の側面と略平行に延出している。このようにハウジング１１は、その側面形状が略Ｌ字型の形状を有している。そして、ハウジング１１において、バッテリ２の側面と略平行に延出した部分が、３つの負荷接続部１３２，・・・１３４それぞれを雄端子として内蔵したコネクタハウジングとなっている。
【００３１】
これら３つの負荷接続部１３２，・・・１３４のうち２つの負荷接続部１３２，１３３は、一つの溶断部１４１を介してバッテリ接続部１２に接続された上記の１つの負荷接続部１３１の端縁に設けられている。これら２つの負荷接続部１３２，１３３は、この端縁で負荷接続部１３１と略直交するように折り曲げられてタブ状に延出している。また、残りの負荷接続部１３４は、もう一つの溶断部１４２を介してバッテリ接続部１２に接続された帯板状の部分であり、途中でバッテリ接続部１２と略直交するように折り曲げられてタブ状に延出している。
【００３２】
溶断部１４１，１４２は、バッテリ接続部１２や４つの負荷接続部１３１，・・・，１３４よりも幅狭の帯状に形成されており、その途中に低融点金属１４１ａ，１４２ａが付されており、溶断時にはこの低融点金属１４１ａ，１４２ａの箇所で溶断する。
【００３３】
ハウジング１１は、バスバー１６に対するインサート成形により形成される。インサート成形は、バッテリ接続部１２及び１つの負荷接続部１３１が露出し、端子ボルト１３１ｂのネジ部が負荷接続部１３１の貫通孔１３１ａを貫通し、さらに３つの負荷接続部１３２，・・・１３４がコネクタハウジングの内部に収まるように行われる。
【００３４】
ここで、本実施形態のヒューズユニット１は、バッテリターミナル３を介して棒状電極２２に接続された後、棒状電極２２との接続部分を含むほぼ全体が次のように保護カバーによって覆われる。
【００３５】
図３は、保護カバーによって覆われたヒューズユニットを示す図である。図３では、保護カバー４が点線によって示されている。この図３に示されているように、ヒューズユニット１は、バッテリ接続部１２と負荷接続部１３１，・・・１３４を含む全体が、バッテリ２の棒状電極２２やバッテリターミナル３と一緒に保護カバー４によって覆われる。
【００３６】
そして、本実施形態のヒューズユニット１には、バッテリ接続部１２が棒状電極２２に電気的に接続されて保護カバー４によって覆われたときにこの保護カバー４から露出するようにバッテリ接続部１２から帯板状に延出した板バネ端子１５が設けられている。この板バネ端子１５も、バスバー１６の一部であり、ハウジング１１から露出している。この板バネ端子１５は、バッテリ接続部１２に対して起立した姿勢となるように曲げ起こされるとともに、弾性変形による曲げ戻しが可能に形成されている。
【００３７】
さらに、本実施形態のヒューズユニット１では、弾性変形によって曲げ戻された状態の板バネ端子１５に解除可能に係止するロック部１１３が、ハウジング１１に一体成形されている。このロック部１１３による係止が解除されると、板バネ端子１５が、その復元力によって起立した姿勢に復位する。図３には、曲げ戻された状態の板バネ端子１５にロック部１１３が係止した様子が示されている。
【００３８】
図４は、図３中のＶ１−Ｖ１断面を示す断面図であり、図５は、図４中のＶ２矢視を示す図である。図５（Ａ）には、図４中のＶ２矢視が図示されており、図５（Ｂ）には、図５（Ａ）中の領域Ａ１の拡大図が示されている。尚、図４及び図５では、図３に示されている保護カバー４の図示が省略されている。
【００３９】
図３〜図５に示されているように、ヒューズユニット１の板バネ端子１５は、起立した姿勢からの曲げ戻しにより、バッテリ２の端子取付け面２１からの高さがハウジング１１の高さよりも低くなる寝た姿勢へと弾性変形が可能に形成されている。ハウジング１１が保護カバー４に覆われることから、寝た姿勢の板バネ端子１５は、端子取付け面２１からの高さがこの保護カバー４の高さよりも低くなる。また、板バネ端子１５は、寝た姿勢のときに、その先端が、ハウジング１１の側端面１１ａよりも、バッテリ接続部１２側に位置するように形成されている。
【００４０】
ロック部１１３は、上記の寝た姿勢の板バネ端子１５に解除可能に係止するものであり、棒状部１１３ａと、立設板部１１３ｂと、係止爪部１１３ｃと、を備えている。棒状部１１３ａは、ハウジング１１におけるバッテリ接続部１２側の側端面１１４から突出した部位である。立設板部１１３ｂは、棒状部１１３ａの先端から、図１に示されている起立した姿勢の板バネ端子１５と略平行となるように帯板状に立ち上がった部位である。係止爪部１１３ｃは、立設板部１１３ｂにおける板バネ端子１５側の面の中程から突出し、矢印Ｄ１方向に曲げ戻された状態の板バネ端子１５の先端部に係止する部位である。立設板部１１３ｂは、曲げ戻された状態の板バネ端子１５の先端部に係止爪部１１３ｃが接離する矢印Ｄ２方向に、樹脂の弾性により弾性変形可能な厚みに形成されている。作業者が、立設板部１１３ｂの先端に指を掛けて係止爪部１１３ｃが板バネ端子１５の先端部から離れるように立設板部１１３ｂを弾性変形させると、板バネ端子１５が、その復元力によって起立した姿勢に復位する。
【００４１】
図６は、板バネ端子が、起立した姿勢に復位した状態のヒューズユニットを示す図である。また、図７は、図６中のＶ２−Ｖ２断面を示す断面図である。尚、図７では、図３及び図６に示されている保護カバー４の図示が省略されている。
【００４２】
上記のように作業者が立設板部１１３ｂを弾性変形させてロック部１１３による係止を解除すると、板バネ端子１５が、その復元力によって起立した姿勢へと、図７中に矢印Ｄ３で示されているように復位する。板バネ端子１５は、上述したように、ヒューズユニット１が保護カバー４によって覆われたときにこの保護カバー４から露出するようにバッテリ接続部１２から帯板状に延出して設けられている。このため、図６に示されているように、復位後の板バネ端子１５は、保護カバー４の外側で起立した状態となる。
【００４３】
そして、本実施形態では、バッテリ２が上がった状態となって上述したジャンプスタートが行われる際に、上記のように起立した姿勢の板バネ端子１５が、スタータケーブルのワニ口端子の取付け箇所として利用される。
【００４４】
以上に説明した本実施形態のヒューズユニット１によれば、保護カバー４から露出するように板バネ端子１５が形成されている。これにより、ジャンプスタートの際に、保護カバー４の外側で板バネ端子１５をスタータケーブルのワニ口端子の取付け箇所として利用するといった運用が可能となる。つまり、本実施形態のヒューズユニット１によれば、ジャンプスタートの際に保護カバー４を取り外す必要がなく、ジャンプスタートを簡単に行うことができる。
【００４５】
また、本実施形態のヒューズユニット１によれば、板バネ端子１５が、起立した姿勢からの曲げ戻しにより、端子取付け面２１からの高さがハウジング１１の高さよりも低くなる寝た姿勢へと弾性変形が可能に形成されている。そして、この板バネ端子１５が、ハウジング１１に設けられたロック部１１３によって寝た姿勢で解除可能に係止され、ロック部１１３による係止が解除されると、板バネ端子１５が、その復元力によって起立した姿勢に復位するようになっている。これにより、ジャンプスタートの際に、保護カバー４の外側でロック部１１３の係止を解除して板バネ端子１５を起立させて、その板バネ端子１５を、スタータケーブルのワニ口端子の取付け箇所として利用するといった運用が可能となる。また、ジャンプスタート以外のときには、板バネ端子１５を上記のように低い寝た姿勢に弾性変形させてロック部１１３に係止させておくことで、この板バネ端子１５への不用意な接触等を抑えることができる。また、板バネ端子１５は、寝た姿勢のときに、その先端が、ハウジング１１の側端面１１ａよりも、バッテリ接続部１２側に位置するように形成されている。この点においても、この板バネ端子１５への不用意な接触等を抑えられるようになっている。
【００４６】
また、本実施形態のヒューズユニット１は、バッテリ接続部１２と負荷接続部１３１，・・・，１３４とが、所定の許容電流を超える電流が流れると溶断する溶断部１４１，１４２を介して接続されてヒューズ機能が付与されている。このヒューズユニット１によれば、上記のようにスタータケーブルのワニ口端子の取付け箇所として利用可能な板バネ端子１５が、バッテリ接続部１２から延出している。つまりは、板バネ端子１５が、バッテリ２からの電流経路において溶断部１４１，１４２よりも上流側に位置している。このため、ジャンプスタートの際にも、電力が溶断部１４１，１４２を介して負荷部品に供給されることとなり、ヒューズ機能を維持しつつジャンプスタートを行うことができる。
【００４７】
また、本実施形態のヒューズユニット１は、バッテリ接続部１２、負荷接続部１３１，・・・，１３４、板バネ端子１５、及び溶断部１４１，１４２が、図２に示されているように、１枚の金属板から一体的に切り抜かれて形成されたバスバー１６となっている。このヒューズユニット１によれば、バッテリ接続部１２、負荷接続部１３１，・・・，１３４、板バネ端子１５、及び溶断部１４１，１４２の相互間の電気抵抗を抑えつつ、材料コスト等を抑えてこれらの部材を形成することができる。
【００４８】
尚、以上に説明した実施形態は本発明の代表的な形態を示したに過ぎず、本発明は、これらの実施形態に限定されるものではない。即ち、本発明の骨子を逸脱しない範囲で種々変形して実施することができる。かかる変形によってもなお本発明のバッテリ端子台の構成を具備する限り、勿論、本発明の範疇に含まれるものである。
【００４９】
例えば、上記の実施形態では、本発明にいうバッテリ端子台の一例として、バッテリターミナル３を介してバッテリ２の棒状電極２２に電気的に接続されるヒューズユニット１が例示されている。しかしながら、本発明にいうバッテリ端子台はこれに限るものではなく、例えばバッテリの電極に、直に、電気的に接続されるとともに固定されるもの等であってもよい。
【００５０】
また、上記の実施形態では、本発明にいうバッテリ端子台の一例として、溶断部１４１，１４２を備えヒューズ機能が付与されたヒューズユニット１が例示されている。しかしながら、本発明にいうバッテリ端子台はこれに限るものではなく、単なる端子台であってもよい。ただし、ヒューズ機能の付与により、バッテリの電力を過電流の流出を抑えて負荷部品に供給できる利点が得られることは言うまでもない。
【００５１】
また、上記の実施形態では、本発明にいうバッテリ端子台の一例として、ランプ端子接続用とコネクタの雄端子としての４つの負荷接続部１３１，・・・１３４とを備え、ハウジング１１の側面形状が略Ｌ字型の形状を有したヒューズユニット１が例示されている。しかしながら、本発明にいうバッテリ端子台はこれに限るものではなく、負荷接続部の数や用途、ハウジングの形状等について、その具体的な構成を問うものではない。
【００５２】
また、上記の実施形態では、本発明にいう板バネ端子の一例として、寝た姿勢における端子取付け面２１からの高さがハウジング１１と保護カバー４との何れの高さよりも低くなる板バネ端子１５が例示されている。しかしながら、本発明にいう板バネ端子はこれに限るものではなく、寝た姿勢における端子取付け面からの高さがハウジングよりは高いが保護カバーよりは低くなるものであってもよい。
【符号の説明】
【００５３】
１    ヒューズユニット（バッテリ端子台の一例）
２    バッテリ
３    バッテリターミナル
４    保護カバー
１１  ハウジング
１２  バッテリ接続部
１５  板バネ端子
１６  バスバー
２１    端子取付け面
２２    棒状電極
１１３    ロック部
１３１，１３２，１３３，１３４    負荷接続部
１４１，１４２    溶断部
【図１】
0006567367.tif 000002
【図２】
0006567367.tif 000003
【図３】
0006567367.tif 000004
【図４】
0006567367.tif 000005
【図５】
0006567367.tif 000006
【図６】
0006567367.tif 000007
【図７】
0006567367.tif 000008
【図８】
0006567367.tif 000009